【手続補正書】
【提出日】平成24年1月17日(2012.1.17)
【手続補正１】
【補正対象書類名】明細書
【補正対象項目名】０１１３
【補正方法】変更
【補正の内容】
【０１１３】
本発明は以下の内容を包含する。
（１）配合物を含む接着剤組成物であって、該配合物は：
酸性モノマー又は塩基性モノマー、（メタ）アクリルモノマー又はビニルモノマー、及びシリコーンマクロマーの反応生成物を含む共重合体、を含むシリコーン変性感圧性接着剤成分で大部分が占められ、
酸性官能基又は塩基性官能基を含む高Ｔｇポリマーと、
架橋剤と、を含み、
該シリコーン変性感圧性接着剤成分の官能基及び高Ｔｇポリマーの官能基は、混合の際に酸−塩基相互作用を生じ、前記組成物は感圧性接着剤である、接着剤組成物。
（２）前記組成物が目視観測において光学的に透明である、項目（１）に記載の接着剤組成物。
（３）前記組成物が一時的に再配置可能である、項目（１）に記載の接着剤組成物。
（４）前記高Ｔｇポリマーのガラス転移温度が２０℃を超える、項目（１）に記載の接着剤組成物。
（５）前記高Ｔｇポリマーのガラス転移温度が５０℃を超える、項目（４）に記載の接着剤組成物。
（６）前記高Ｔｇポリマーが、ビニルエステル、（メタ）アクリルアミド、スチレン、（メタ）アクリロニトリル、置換スチレン、ハロゲン化ビニル、プロピオン酸ビニル、（メタ）アクリレート及びこれらの混合物からなる群から選択されるモノマーを含む、項目（１）に記載の接着剤組成物。
（７）前記高Ｔｇポリマーが塩基性共重合体である、項目（１）に記載の接着剤組成物。
（８）前記シリコーン変性感圧性接着剤が、（メタ）アクリレート、ビニルモノマー、シリコーンマクロマー及びこれらの混合物からなる群から選択されるフリーラジカル重合性モノマーから形成される、項目（１）に記載の接着剤組成物。
（９）多官能性アジリジン、ペルオキシド、ベンゾフェノン、トリアジン、モノエチレン性不飽和モノ−、ジ−及びトリアルコキシシラン化合物、ジアクリレート、トリアクリレート、及びテトラアクリレート、イソシアネート、エポキシ、並びにこれらの混合物からなる群から選択される架橋剤を含む、項目（１）に記載の接着剤組成物。
（１０）前記高Ｔｇポリマーのドメインサイズが、光の波長未満まで減少する、項目（１）に記載の接着剤組成物。
（１１）前記高Ｔｇポリマーが、重量平均分子量が１００，０００以上であるポリマーを含む、項目（１）に記載の接着剤組成物。
（１２）添加剤を更に含む、項目（１）に記載の接着剤組成物。
（１３）前記シリコーン変性感圧性接着剤成分が前記組成物の総重量の７０〜９５％で含まれる、項目（１）に記載の接着剤組成物。
（１４）前記高Ｔｇポリマーが前記組成物の総重量の５〜３０％で含まれる、項目（１）に記載の接着剤組成物。
（１５）前記シリコーン変性感圧性接着剤が酸性共重合体を含む、項目（１）に記載の接着剤組成物。
（１６）基材、及び
前記基材の少なくとも１つの表面上にコーティングされた感圧性接着剤組成物、を含む物品であって、
前記感圧性接着剤組成物は配合物を含み、該配合物は、
酸性モノマー又は塩基性モノマー、（メタ）アクリル又はビニルモノマー、及びシリコーンマクロマーの反応生成物を含む共重合体を含むシリコーン変性感圧性接着剤成分で大部分が占められ、
酸性官能基又は塩基性官能基を含む高Ｔｇポリマーと、
架橋剤と、を含み、
前記シリコーン変性感圧性接着剤成分の官能基及び前記高Ｔｇポリマーの官能基は、混合の際に酸−塩基相互作用を生じる、物品。
（１７）前記基材が、剥離ライナー、フィルム、シート、テープ裏材及び硬質材料からなる群から選択される、項目（１６）に記載の物品。
（１８）混合物を含む接着剤組成物でコーティングされた多層アセンブリであって、該混合物は、酸性官能基又は塩基性官能基を有する少なくとも１つのポリマーを含むシリコーン変性感圧性接着剤成分で大部分が占められ、酸性官能基又は塩基性官能基を含む高Ｔｇポリマーと、架橋剤と、を含み、前記シリコーン変性感圧性接着剤成分の官能基及び高Ｔｇポリマーの官能基は、混合の際に酸−塩基相互作用を生じ、前記接着剤組成物は、少なくとも２つの層を合わせて結合する光学的に透明な感圧性接着剤である、多層アセンブリ。
（１９）前記層が、剥離ライナー、フィルム、シート、テープ裏材、及び硬質材料からなる群から選択される、項目（１８）に記載の多層アセンブリ。
（２０）前記層の１つがガス放出層である、項目（１８）に記載の多層アセンブリ。
（２１）前記ガス放出層が、ポリカーボネート及びポリ（メチルメタクリレート）からなる群から選択される材料を含む、項目（２０）に記載の多層アセンブリ。
（２２）多層物品を調製する方法であって、該方法が、混合物を含む接着剤組成物を基材にコーティングする工程を含み、
該混合物が、酸性官能基又は塩基性官能基を含む少なくとも１つのポリマーを含むシリコーン変性感圧性接着剤成分で大部分が占められ、酸性官能基又は塩基性官能基を含む高Ｔｇポリマーと、架橋剤と、を含み、
前記シリコーン変性感圧性接着剤成分の官能基及び前記高Ｔｇポリマーの官能基は、混合の際に酸−塩基相互作用を生じ、前記組成物は感圧性接着剤である、方法。
（２３）第２の基材上に前記接着剤をコーティングした基材を積層する工程を更に含む、項目（２２）に記載の方法。
（２４）前記第２の基材上に前記接着剤をコーティングした基材を再配置する工程を更に含む、項目（２３）に記載の方法。
（２５）前記接着剤組成物が、前記接着剤組成物を前記基材上にコーティングした後に架橋される、項目（２２）に記載の方法。
（２６）前記第２基材への積層の際の初期１８０°剥離接着力が、０．１〜５Ｎ／ｄｍでの範囲内であり、２４時間経過後の１８０°剥離接着力が５０〜１００Ｎ／ｄｍの範囲内である、項目（２３）に記載の方法。
【手続補正２】
【補正対象書類名】特許請求の範囲
【補正対象項目名】全文
【補正方法】変更
【補正の内容】
【特許請求の範囲】
【請求項１】
配合物を含む接着剤組成物であって、該配合物は：
酸性モノマー又は塩基性モノマー、（メタ）アクリルモノマー又はビニルモノマー、及びシリコーンマクロマーの反応生成物を含む共重合体、を含むシリコーン変性感圧性接着剤成分で大部分が占められ、
酸性官能基又は塩基性官能基を含む高Ｔｇポリマーと、
架橋剤と、を含み、
該シリコーン変性感圧性接着剤成分の官能基及び高Ｔｇポリマーの官能基は、混合の際に酸−塩基相互作用を生じ、前記組成物は感圧性接着剤である、接着剤組成物。
【請求項２】
基材、及び
前記基材の少なくとも１つの表面上にコーティングされた感圧性接着剤組成物、を含む物品であって、
前記感圧性接着剤組成物は配合物を含み、該配合物は、
酸性モノマー又は塩基性モノマー、（メタ）アクリル又はビニルモノマー、及びシリコーンマクロマーの反応生成物を含む共重合体を含むシリコーン変性感圧性接着剤成分で大部分が占められ、
酸性官能基又は塩基性官能基を含む高Ｔｇポリマーと、
架橋剤と、を含み、
前記シリコーン変性感圧性接着剤成分の官能基及び前記高Ｔｇポリマーの官能基は、混合の際に酸−塩基相互作用を生じる、物品。
【請求項３】
配合物であって、
酸性モノマー又は塩基性モノマー、（メタ）アクリル又はビニルモノマー、及びシリコーンマクロマーの反応生成物を含む共重合体を含むシリコーン変性感圧性接着剤成分と、
酸性官能基又は塩基性官能基を含む高Ｔｇポリマーと、
を含み、
前記シリコーン変性感圧性接着剤成分の官能基及び前記高Ｔｇポリマーの官能基が、混合の際に酸−塩基相互作用を生じる、配合物。